(57)【要約】【課題】ユーザーが利用する目的に応じてシステムが自動的に頭出しを行うことを可能とした映像或いは音声のコンテンツ内位置指定方法及び再生装置を提供することを目的とする。【解決手段】映像或いは音声のコンテンツにおいてコンテンツ内の任意の位置に、決められた操作によってその時間位置情報とともに属性情報が付加されたマーカーを複数個設定し、この属性情報を検索して所望の条件を満たす属性情報が付加されたマーカーを指定し条件を満たさない属性情報が付加されたマーカーを指定しないことを特徴とする【選択図】      図１
2004153739.tif 000002
【特許請求の範囲】
【請求項１】
映像或いは音声のコンテンツを保存する記憶手段と、前記記憶手段に保存された前記映像或いは音声のコンテンツを再生する再生手段と、前記記憶手段及び前記再生手段を制御する制御手段と、前記制御手段に指示する情報を入力する入力手段とを具備する再生装置にて、
この再生装置は、前記映像或いは音声のコンテンツにおいて前記コンテンツ内の任意の位置に、前記入力手段の決められた操作によってその時間位置情報とともに属性情報が付加されたマーカーを複数個設定し、
前記入力手段からの入力に基づいて前記属性情報を検索して所望の条件を満たす属性情報が付加されたマーカーを指定し前記条件を満たさない属性情報が付加されたマーカーを指定しないことを特徴とする映像或いは音声のコンテンツ内位置指定方法。
【請求項２】
前記指定されたマーカーが設定された位置から前記コンテンツを再生することを特徴とする請求項１記載の映像或いは音声のコンテンツ内位置指定方法。
【請求項３】
前記所望の条件を入力する方法は、前記指定されるマーカーを設定した前記決められた操作に応じて行われることを特徴とする請求項１記載の映像或いは音声のコンテンツ内位置指定方法。
【請求項４】
前記所望の条件は任意に設定可能であることを特徴とする請求項１記載の映像或いは音声のコンテンツ内位置指定方法。
【請求項５】
映像或いは音声のコンテンツを保存する記憶手段と、
前記記憶手段に保存された前記映像或いは音声のコンテンツを再生する再生手段と、
前記記憶手段及び前記再生手段を制御する制御手段と、
前記制御手段に指示する情報を入力する入力手段と、
前記入力手段からの操作によって前記制御手段が、前記記憶手段に保存された映像或いは音声のコンテンツにおいて、前記コンテンツ内の任意の位置に、その時間位置情報とともに属性情報が付加されたマーカーを複数個設定する設定手段と、
前記属性情報を検索して所望の条件を満たす属性情報が付加されたマーカーを指定し前記条件を満たさない属性情報が付加されたマーカーを指定しない検索手段とを具備することを特徴とする再生装置。
【発明の詳細な説明】
【０００１】
【発明の属する技術分野】
本発明は、映像或いは音声のコンテンツ内位置指定方法及び映像或いは音声のコンテンツ内位置指定を可能とする再生装置に関する。
【０００２】
【従来の技術】
近年、映像データや音声データを用いたコンテンツを再生するための操作方法を簡便にしたいという要求が高まりつつある。
例えば、特許文献１に記載されているように、コンテンツを再生する際の再生開始位置を指定する方法として、コンテンツ内の任意の時間位置にアイコンを用いたマーカーを設定し、そのマーカーが設定された位置を再生のための頭出しに利用するものがある。
【０００３】
このような再生の頭出しに用いられるマーカーは、ユーザーが再生中に気に入ったシーンの先頭やシーンの切り替わり部分で設定することができる。こうして設定したマーカーをユーザーが指定することで簡便に目的とするシーンを再生できる。
【０００４】
【特許文献１】
特開２００１−２９２４０２号公報
【０００５】
【発明が解決しようとする課題】
上述したマーカーでは、ユーザーがアイコンを画面上で選択しなければ再生することはできないという問題がある。これはユーザーが画面上で再生したい場所を自分で探し出さなければならないという煩わしさがある。
【０００６】
一方頭出しのみのためにユーザーがマーカーをコンテンツ内に設定することも考えられるが、この場合システムは自動的にすべてのマーカーを再生の対象として扱ってしまうため、本当にお気に入りのシーンに到達するまで、何度もスキップ及び再生をする必要がある。
【０００７】
また、お気に入りのシーンの頭出しとは別の目的（例えば編集）において必要なシーンのみを集めたコンテンツを作成しようとしても、また別の目的（例えばお気に入りのシーンの頭出し）で設定したマーカーもシーンの区切りとしてシステムに認識されてしまい、必要なシーンの範囲を特定するのに余計な手間を必要としてしまう。
【０００８】
本発明は上記の問題を解決するためになされたものであり、ユーザーが利用する目的に応じてシステムが自動的に頭出しを行うことを可能とした映像或いは音声のコンテンツ内位置指定方法及び再生装置を提供することを目的とする。
【０００９】
【課題を解決するための手段】
上記目的を達成するために、本発明は、映像或いは音声のコンテンツを保存する記憶手段と、前記記憶手段に保存された前記映像或いは音声のコンテンツを再生する再生手段と、前記記憶手段及び前記再生手段を制御する制御手段と、前記制御手段に指示する情報を入力する入力手段とを具備する再生装置にて、
【００１０】
この再生装置は、前記映像或いは音声のコンテンツにおいて前記コンテンツ内の任意の位置に、前記入力手段の決められた操作によってその時間位置情報とともに属性情報が付加されたマーカーを複数個設定し、
【００１１】
前記入力手段からの入力に基づいて前記属性情報を検索して所望の条件を満たす属性情報が付加されたマーカーを指定し前記条件を満たさない属性情報が付加されたマーカーを指定しないことを特徴とする映像或いは音声のコンテンツ内位置指定方法を提供する。
【００１２】
また、本発明は、映像或いは音声のコンテンツを保存する記憶手段と、
前記記憶手段に保存された前記映像或いは音声のコンテンツを再生する再生手段と、
前記記憶手段及び前記再生手段を制御する制御手段と、
前記制御手段に指示する情報を入力する入力手段と、
前記入力手段からの操作によって前記制御手段が、前記記憶手段に保存された映像或いは音声のコンテンツにおいて、前記コンテンツ内の任意の位置に、その時間位置情報とともに属性情報が付加されたマーカーを複数個設定する設定手段と、
【００１３】
前記属性情報を検索して所望の条件を満たす属性情報が付加されたマーカーを指定し前記条件を満たさない属性情報が付加されたマーカーを指定しない検索手段とを具備することを特徴とする再生装置を提供する。
【００１４】
このとき、前記指定されたマーカーが設定された位置から前記コンテンツを再生することが好ましい。
また、前記所望の条件を入力する方法は、前記指定されるマーカーを設定した前記決められた操作に応じて行われることが好ましい。
また、前記所望の条件は任意に設定可能であることが好ましい。
【００１５】
【発明の実施の形態】
以下、本発明の実施形態について図面を用いて詳細に説明する。なお、本発明は、以下の実施形態に限定されるものではない。
図１は、本発明の実施形態に係わるコンテンツ内位置指定装置を有する録画再生装置の構成図である。
ここではコンテンツとして例えばビデオタイトルを録画し或いは再生する場合にユーザーが操作することで録画中に或いは再生中にその時間位置情報及び属性情報が付加されたマーカーを設定する。そして編集中に範囲指定に用いる始端終端として或いは再生中のスキップ操作時のジャンプ先としてそのマーカーを使用する機能を録画再生装置に適用したものを説明する。
【００１６】
まず、図１に示すように、この録画再生装置は、例えばリモコン装置或いは筐体表面に設けられたボタン類等の入力手段１０１と、これと接続された例えばマイコン等の制御手段１０２と、これと接続されたハードディスク或いはＲＡＭ等の記憶手段１０３と、制御手段１０２及び記憶手段１０３と接続されたエンコーダ等の録画手段１０５及びデコーダ等の再生手段１０６とを有している。
【００１７】
録画手段１０５には、ライン入力やチューナー入力等の入力手段１０４が接続されている。再生手段１０６には、ディスプレーやスピーカー等の画像或いは音声出力手段１０７が接続されている。
【００１８】
入力手段１０１はユーザーからの入力により録画の場合録画の開始・ポーズ・ポーズ解除・終了等の指示を行う。また、入力手段１０１は編集の場合出力手段１０７の画面上でユーザーの操作指示、再生の開始・スキップ・停止操作を取得する。記憶手段１０３は、録画・編集されたビデオデータ或いは音声データと、マーカーを含むタイトルの管理情報を保存する。
【００１９】
録画手段１０５は制御手段１０２の指示により、入力手段１０４より入力される動画或いは音声を記録し、ビデオデータとして記憶手段１０３に格納する。再生手段１０６は、制御手段１０２の指示により記憶手段１０３から取得したビデオデータを再生し、得られた動画或いは音声を出力手段１０７に出力する。
【００２０】
出力手段１０７は、再生手段１０６から入力される動画或いは音声の再生と、制御手段１０２からの指示によって作成される編集用のＧＵＩ（グラフィカル・ユーザー・インターフェース）表示を行う。
【００２１】
制御手段１０２は、入力手段１０１から得られるユーザーの指示に従い録画・再生・編集画面の制御を行い、記憶手段１０３内のビデオデータと管理情報の編集を行う。
【００２２】
図２は、この録画再生装置に用いるタイトル管理情報の概略を表す。ここでは、簡略のため、録画された各タイトルは１繋がりの動画データとして構成されるものとし、各タイトルは１つのファイル中に連結して保存されているものとする。そして別ファイルとして、このファイル中の各タイトルを管理するためのタイトル管理情報が保存されているものとする。
【００２３】
図２に示すように、タイトル管理情報を保持するファイルでは、各タイトル１、２・・・Ｎごとに、そのタイトルの動画データファイル中での開始位置２０１、タイトル内の各時間位置に対応する動画データの開始位置を検索するためのインデックス情報２０２、タイトルに振られたマーカーの数２０３と、マーカー０、１、・・・ｎごとにそのマーカーの振られた時間位置情報２０４とマーカーの属性２０５が付加されたマーカーが設定されている。また、各マーカー０、１・・・ｎは、その時間位置情報２０４が昇順となるようにタイトル内でソートされているものとする。
【００２４】
次に、図１に示す録画再生装置を用いて説明する。
先ず、図１に示すように、ユーザーが再生を開始するコマンドを入力手段１０１に入力すると、制御手段１０２は、再生対象となるタイトルの制御情報を記憶手段１０３に保存されているタイトル管理情報から取得する。次に、制御手段１０２は、取得されたタイトル管理情報から再生対象となるタイトルのファイル内開始位置情報２０１を取得する。次に、制御手段１０２は、記憶手段１０３に保存された動画データファイルのうち取得されたファイル内開始位置２０１からの動画データを再生手段１０６に入力する。再生手段１０６では、入力された動画データをデコードし、デコードしたデータを出力手段１０７に出力する。そして出力手段１０７によりユーザーの視聴可能な形式で動画が再生される。
【００２５】
次に、図３のフローチャートを用いて再生中にユーザーがお気に入りのシーンの位置にマーカーを設定する方法について説明する。
先ず、図３のステップＳ１０１に示すように、再生中にユーザーが入力手段１０１からマーカーを指定するコマンドを実行すると、制御手段１０２は再生手段１０６より、現在出力されている動画データの時間位置情報を取得し、これを位置情報ｐｏｓに設定する。また、このマーカーが再生中にユーザーにより設定されたことを示すための属性変数ａｔｒに’ｓ’（例えばお気に入りを示す属性）を設定し、ステップＳ１０２に移行する。
【００２６】
次に、図３のステップＳ１０２に示すように、再生の対象となるタイトルが持つマーカー情報０、１・・・ｎ（図２参照）を先頭から検索するためのインデックス変数ｌをマーカーの最初のインデックスである０に初期化して、ステップＳ１０３に移行する。
【００２７】
次に、図３のステップ１０３に示すように、インデックス変数ｌの値と、タイトル情報に含まれているマーカー数情報ｍｋ＿ｎｕｍ（図２中ｎに対応する）を比較し、マーカー数情報ｍｋ＿ｎｕｍよりもインデックス変数ｌの方が小さければステップＳ１０４に移行し、マーカー数情報ｍｋ＿ｎｕｍよりもインデックス情報ｌの方が大きいか又は等しければステップＳ１０６に移行する。
【００２８】
図３のステップＳ１０４では、今回新たに作成されるマーカーの位置情報ｐｏｓと、インデックス情報ｌにより示される既存のマーカーの持つ位置情報ｍｋ［ｌ］．ｐｏｓを比較し、既存のマーカーが持つ位置情報ｍｋ［ｌ］．ｐｏｓの方が今回新たに作成されるマーカーの位置情報ｐｏｓよりも大きければステップＳ１０５に移行する。また、既存のマーカーが持つ位置情報ｍｋ［ｌ］．ｐｏｓの方が今回新たに作成されるマーカーの位置情報ｐｏｓよりも小さいか又は等しければステップＳ１０８に移行する。
【００２９】
図３のステップＳ１０８では、次の既存のマーカーと今回新たに作成されたマーカーの位置情報を比較するため、インデックス情報ｌをインクリメントし、ステップＳ１０３に移行する。
【００３０】
図３のステップＳ１０５では、インデックス情報ｌの位置に今回新たに作成されたマーカー情報を挿入するため、マーカー数情報ｍｋ［ｌ］からマーカー数情報ｍｋ［ｍｋ＿ｎｕｍ−１］までのマーカーをマーカー数情報ｍｋ［ｌ＋１］からマーカー数情報ｍｋ［ｍｋ＿ｎｕｍ］までの位置にずらし、ステップＳ１０６に移行する。
【００３１】
図３のステップＳ１０６では、タイトル情報の持つマーカー数情報ｍｋ＿ｎｕｍを１増加させ、ステップＳ１０７に移行する。
次に、図３のステップＳ１０７では、インデックス情報ｌのマーカー数情報ｍｋ［ｌ］に今回新たに作成されるマーカーの位置情報と属性情報を保存し、マーカー設定の処理を終了する。
【００３２】
このような処理を行うことにより、ユーザーがお気に入りシーンの開始位置としてこの時間位置に属性’ｓ’が付加されたマーカーを設定し保持することが可能となる。
【００３３】
ここでは、ユーザーがお気に入りシーンの開始位置として設定したマーカーを属性’ｓ’として保存する場合を説明したが、その他、録画中にユーザーがポーズを行った位置に、録画シーンがスキップすることを示す属性を’ｐ’といった別の識別子に割り当ててその属性を持つマーカーを挿入することができる。こうして状況に応じてその時間位置とともにその発生要因を示す属性をマーカーに付加して設定することが可能となる。
【００３４】
また、マーカーに付加する属性は、そのマーカーの設定される起因となった操作に応じて自動的に付加されているが、ユーザーがお気に入りボタンなど種種選択して設定することも可能である。
【００３５】
また、マーカーに付加する属性は、決められた種類からの選択により設定する方法のほかに、ユーザーが入力した任意の文字列を１つの属性値とするなど、任意の値を設定する方法も可能である。
【００３６】
この場合マーカーに付加する属性としてテキストを入力し、テキストに含まれる単語を検索のキーとする方法も可能である。
また、ここでは各マーカーには１つの属性のみを格納して、同一時間位置には別の属性が付加されたマーカーを複数個設定できるようにしたが、各マーカーに複数の属性を設定可能とし、同一時間位置に複数のマーカーが設定されることを禁止してもよい。
【００３７】
次に、図１に記載した録画再生装置において、再生中にユーザーがスキップ操作をすることで、さまざまな要因によって設定されたマーカーの中からユーザーが再生中に設定した属性が付加されたマーカーのみを検索して指定しこれをスキップの対象とする処理について、図４のフローチャートを参照して説明する。
【００３８】
ここでは属性として’ｓ’（お気に入りを示す属性）を選択する。
先ず、図４のステップＳ２０１に示すように、現在の再生位置を再生手段１０６から取得し、位置指定変数ｐｏｓに代入する。また、検索対象とする属性を保持するための属性変数ａｔｒに’ｓ’を代入し、ステップＳ２０２に移行する。これは再生中のスキップ動作であることから、システムにおいてマーカーの検索対象を属性’ｓ’（お気に入りを示す属性）を持つものに限定する処理を行うためである。
【００３９】
次に、図４のステップＳ２０２に示すように、タイトル内のマーカーを操作するためのインデックス変数ｌをマーカーの最初のインデックスである０で初期化し、ステップＳ２０３に移行する。
【００４０】
次に、図４のステップＳ２０３に示すように、インデックス変数ｌの値と、タイトル情報に含まれているマーカー数情報ｍｋ＿ｎｕｍを比較し、マーカー数情報ｍｋ＿ｎｕｍよりもインデックス情報ｌの方が小さければステップＳ２０４に移行する。マーカー数情報ｍｋ＿ｎｕｍよりもインデックス情報ｌの方が大きいか又は等しければステップＳ２０７に移行する。
【００４１】
図４のステップＳ２０７では、現在位置よりも大きな値の位置情報を持つマーカーが存在しないことから、現在の再生をそのまま継続し、スキップ処理を終了する。
また、図４のステップＳ２０４では、現在の再生位置ｐｏｓと検査対象としているマーカーｍｋ［ｌ］の時間位置情報ｍｋ［ｌ］．ｐｏｓを比較し、検査対象としているマーカーｍｋ［ｌ］の時間位置情報ｍｋ［ｌ］．ｐｏｓの方が現在の再生位置ｐｏｓよりも大きければステップＳ２０５に移行する。検査対象としているマーカーｍｋ［ｌ］の時間位置情報ｍｋ［ｌ］．ｐｏｓの方が現在の再生位置ｐｏｓよりも小さいか又は等しければステップＳ２０８に移行する。
【００４２】
図４のステップＳ２０８では、次のマーカーの検査を行うため、インデックス変数ｌをインクリメントし、Ｓ２０３に移行する。
図４のステップＳ２０５では、マーカーｍｋ［ｌ］の持つ属性情報ｍｋ［ｌ］．ａｔｒと現在検索の対象としている属性情報ａｔｒが一致するか検査し、一致しなければステップＳ２０８に移行し、一致すればＳ２０６に移行する。
【００４３】
次に、図４のステップＳ２０６では、マーカーｍｋ［ｌ］がスキップして行くべき次の再生位置であることから、その位置への再生スキップ動作を行う。方法としては、マーカーの時間位置情報ｍｋ［ｌ］．ｐｏｓの位置に対応する動画データのタイトル先頭からのオフセット位置をタイトル管理情報にある該当タイトル番号内のインデックス情報から検索し、それに同じくタイトル管理情報内にある該当タイトルのファイル内開始位置を加算することにより録画された動画データ中でのアクセス開始位置が計算され、その位置からデータを読み込み始めることによりスキップ位置からの再生が可能となる。
【００４４】
ここでは、再生中のスキップ動作を対象とし、属性’ｓ’を検索時のキーとしたが、その他、録画中にポーズした位置や、コマーシャルと本編の切り替わり位置に振られた、それを現す属性を付加されたマーカーを対象とすることにより、録画の切り替わり位置をスキップの対象としたり、または編集時に動画データの特定箇所を抜き出したりするときのその範囲指定時の始終端として使用することも出来る。
【００４５】
また、それら対象とする属性の変更は、スキップや編集といった動作ごとにシステムで自動的に設定することが可能であり、また、ユーザーからの指定で行うことも可能である。
【００４６】
また、属性の指定において、マーカーに複数の属性を付加させ、項目をＡＮＤ／ＯＲによる絞込みを可能とすることにより、使用するマーカーの指定に、より柔軟性を持たせることが可能である。
【００４７】
また、属性としてマーカー毎にユーザーの入力するテキストを利用可能な場合、テキスト内の文字列を検索し、指定された文字列と一致、もしくはその文字列を含むマーカーを対象とすることも可能である。この例としては、ＤＶＤ−ＶＲ規格におけるＴｙｐｅＢエントリーポイントをマーカーとして使用し、ＰｒｉｍａｒｙＴｅｘｔとして設定されたテキストを属性として使用することが可能である。
【００４８】
このような処理を行うことにより、従来の手法では目的にあったマーカー位置以外もその操作対象となってしまっていたものを、マーカーに付加された属性をキーに対象を絞り込むことにより、目的にあったマーカーのみを操作の対象とすることが可能となる。
【００４９】
次に、実際のユーザーがどのように操作するかについて以下例をあげて説明する。
図５は、本実施形態に基づいて録画されたタイトル上の各位置にマーカーが打たれた状況を示している。横軸が録画されたタイトル上の時間軸を表し、ｔ０〜ｔ１５がタイトル上の時間位置、’ｃ’（コマーシャルを示す属性），’ｓ’（お気に入りを示す属性），’ｅ’（編集を示す属性）が各時間位置に設定されたマーカーの属性をあらわす。
【００５０】
先ず、図５（ａ）に示すように、録画を実施した時点でのマーカー分布を表す。ここでは録画時にコマーシャルと本編の境界上に、録画機のシステムにより、自動的に属性’ｃ’のマーカーが設定されるものとする。
【００５１】
タイトル管理情報への設定の手順は、図３で説明した手順において属性ａｔｒを’ｃ’として処理したものとなる。コマーシャルと本編の境界の検出方法としては、音声のモノラル・ステレオの変化点を境界と推定する方法等が知られている。ここでは、ｔ１〜ｔ２，  ｔ３〜ｔ４，  ｔ５〜ｔ６，  ｔ７〜ｔ８がコマーシャル区間とする。
【００５２】
次に、録画後、ユーザーが録画したタイトルを視聴し、気に入ったシーンの先頭にスキップ点設定を行ったとする。設定の方法としては、ユーザーが視聴中に、設定したいポイントでリモコン等に配置されているマーカー設定ボタンを押下する方法等が考えられる。また、この時押下されるマーカー設定ボタンは、スキップ点専用のものとしても良いし、ボタン自体は編集中や再生中など各状況でのマーカー設定に使用する共通ボタンとし、押された状況により設定する属性を変化させる、つまり、再生中に押された場合にはスキップ用のマーカーが設定されたとして属性を’ｓ’（お気に入りを示す属性）としてマーカーを設定し、編集中に押された場合には切り出し始終点を設定されたものとして属性を’ｅ’（編集を示す属性）として設定するというようにしても良い。
【００５３】
ここでは、図５（ｂ）に示すように、ｔ９，ｔ１０，ｔ１１の時間位置でユーザーがスキップ点を設定したものとする。
ここで、この状態でユーザーがスキップ操作を行った場合のシステムの動作を説明する。ｔ２付近を再生中にユーザーがスキップボタンを押すと、図４で説明したフローチャートに従い属性が’ｓ’（お気に入りを示す属性）の位置ｔ９へスキップする。ここで再びスキップすると、属性が’ｃ’（コマーシャルを示す属性）であるｔ３，ｔ４を飛ばして属性が’ｓ’（お気に入りを示す属性）のｔ１０へスキップする。このような動作をすることにより、ユーザーがスキップを意図した時間位置のみにスキップすることが可能となる。
【００５４】
次に、このタイトル中からユーザーの指定した部分のみをコピーして別タイトルを作成するような編集作業において、そのコピー部分の始終端を指定する方法について説明する。
【００５５】
この場合、ユーザーはボタン操作により編集用の画面に移行し、そこで本タイトルを指定し、タイトルの内容を画面で確認しながらコピーしたい範囲の始点と終点の設定を行う。設定方法としては、編集画面上に指定したい位置を再生表示した状態で、スキップ位置設定と同様に、専用ボタンを押下するか、共通マーカー設定ボタンを押下する。共通のボタンを押下した場合、現在のシステムのモードが編集状態であることから、これが編集用の始終端位置の設定であることを認識する。
【００５６】
ボタンが押下された所で、図３で説明したのフローチャートに従い、編集点をあらわす属性’ｅ’のマーカーを設定する。ここではスキップ点を設定したシーンを含む区間を別タイトルとしてまとめなおすことを想定し、図５（ｃ）に示すように、ｔ９のシーンを含むために、ｔ１２，ｔ１３の点を設定し、ｔ１０，ｔ１１のシーンを含むために、ｔ１４，ｔ１５の点を設定したものとする。
【００５７】
こうしてマーカーの設定が終了すると、マーカーで区切られた区間の中から使用するものを選択し、新たに作成するタイトルを構成するパーツとして順に登録する作業を行う。ここでは、編集用のマーカーがｔ１２，ｔ１３，ｔ１４，ｔ１５に設定されていることから、このタイトルは、ｔ０〜ｔ１２，  ｔ１２〜ｔ１３，  ｔ１３〜ｔ１４，  ｔ１４〜ｔ１５，  ｔ１５〜ｔ８の５つの区間に分けられており、この中から使用するものを選択することとなる。なお、ｔ９，ｔ１０，ｔ１１のシーンを含むようにすることから、ここではｔ１２〜ｔ１３，  ｔ１４〜ｔ１５の区間を選択し、パーツとして登録する。パーツの登録後、実際に各パーツの範囲のデータをコピーして新たなタイトルを作成する作業が行われるが、その内容はここでは省略する。
【００５８】
上記のように、区間の選択をする際に、区間の区切りとして使用するマーカーを属性’ｅ’の付加されたものに限定することにより、区間が不必要に細分化されるのを防ぎ、編集の効率を向上することが可能となる。
【００５９】
また、ここではコピーする範囲を指定するために新たにマーカーを設定する操作を行っていたが、コマーシャルを除いた部分のみからなるタイトルを作成するような場合には、区間を選択する編集画面にて、有効とするマーカーの設定画面を開き、そこで編集を示す属性’ｅ’のかわりにコマーシャルを示す属性’ｃ’を選択することにより、コマーシャルの区間とコマーシャルに挟まれた区間からの区間選択が可能となり、コマーシャル以外の区間を選択してゆくことで、マーカーに属性が付加されておらずに各マーカー毎にすべて区間が分割されてしまっている場合に比べて容易に編集することが可能となる。
【００６０】
また、ここでは各マーカー設定動作において、その時のシステムの状態により設定される属性値が固定となっていたが、マーカーに設定する属性をユーザーが指定するようにすることも可能である。指定方法としては、ユーザーがマーカー設定を行った際に、選択可能なマーカーのリストを表示してその中から選択するような方法や、ユーザーが任意の文字列を属性として登録できるようにする方法が考えられる。
【００６１】
文字列として登録した場合、マーカー使用時に抽出するマーカーを限定するために、検索時もしくは事前登録により、全文一致や部分文字列一致、正規表現等で属性に登録された文字列とマッチングを取り、これを有効なマーカーとしてシステムが認識するためのテキストを設定するようにする。例えば、ドラマや歌謡番組の各シーンの冒頭にマーカーを設置し、属性文字列として登場人物の名前を列挙しておき、スキップ動作を行う際に、属性値の部分文字列一致を取る設定で注視したい人物の名前を登録しておくことにより、その人物の登場するシーンのみを順に見て行くことが可能となる。
【００６２】
【発明の効果】
本発明は、ユーザーが利用する目的に応じてシステムが自動的に頭出しを行うことを可能とした映像或いは音声のコンテンツ内位置指定方法及び再生装置を提供することを可能とする。
【図面の簡単な説明】
【図１】本発明の実施形態に係るコンテンツ内位置指定装置を具備する録画再生装置の構成図。
【図２】本発明に用いるタイトル管理情報を示す図。
【図３】本発明のコンテンツ内位置指定方法のマーカーを設定する方法を説明するためのフローチャート。
【図４】本発明のコンテンツ内位置指定方法のマーカーを検索し指定する方法を説明するためのフローチャート。
【図５】本発明の実施形態に基づいて録画されたタイトル上の各位置にマーカーが打たれたマーカー分布を示す図であり、（ａ）は録画を実施した時点でのマーカー分布、（ｂ）はユーザーがスキップ点を設定したときのマーカー分布、（ｃ）はユーザーが編集点を設定した時のマーカー分布を示す。
【符号の説明】
１０１・・・入力手段
１０２・・・制御手段
１０３・・・記憶手段
１０４・・・入力手段
１０５・・・録画手段
１０６・・・再生手段
１０７・・・出力手段
２０１・・・ファイル内開始位置
２０２・・・インデックス情報
２０３・・・マーカー数
２０４・・・位置情報
２０５・・・属性
【図１】
2004153739.tif 000003
【図２】
2004153739.tif 000004
【図３】
2004153739.tif 000005
【図４】
2004153739.tif 000006
【図５】
2004153739.tif 000007